(57)【要約】【課題】受信特性の劣化を低減すること。【解決手段】受信装置が、下りリンクの信号に基づいて、該下りリンクの信号に含まれるリファレンスシグナルを増加させるか否かを判断するステップと、受信装置が、判断結果を通知する通知ステップと、送信装置が、受信装置により送信されたリファレンスシグナルを増加させる情報に従って、リファレンスシグナルをマッピングするステップとを有する。【選択図】図６
2009302686.tif 000002
【特許請求の範囲】
【請求項１】
上りリンクの信号に基づいて、下りリンクの信号に含まれるリファレンスシグナルを増加させるか否かを判断する手段と、
前記判断する手段における判断結果に従って、リファレンスシグナルをマッピングする手段と
を有する無線通信装置。
【請求項２】
請求項１に記載の無線通信装置において、
前記マッピングする手段は、前記下りリンクの信号が送信される周波数帯域の端を含む無線リソースに増加させるリファレンスシグナルをマッピングする無線通信装置。
【請求項３】
請求項１又は２に記載の無線通信装置において、
前記上りリンクの信号には、前記下りリンクにおけるチャネル状態を示す情報が含まれる無線通信装置。
【請求項４】
請求項３に記載の無線通信装置において、
前記判断する手段は、前記下りリンクの信号が送信される周波数帯域の端の受信特性に基づいて、リファレンスシグナルを増加させることを判断する無線通信装置。
【請求項５】
下りリンクの信号を受信する無線通信装置により送信されたリファレンスシグナルを増加させる情報に従って、リファレンスシグナルをマッピングする手段
を有する無線通信装置。
【請求項６】
下りリンクの信号に基づいて、下りリンクの信号に含まれるリファレンスシグナルを増加させるか否かを判断する手段と、
前記判断結果を通知する通知手段と
を有する無線通信装置。
【請求項７】
請求項６に記載の無線通信装置において、
前記判断する手段は、下りリンクの信号のSIR及び／又はチャネル状態を示す情報に基づいて、該下りリンクの信号に含まれるリファレンスシグナルを増加させるか否かを判断する無線通信装置。
【請求項８】
請求項７に記載の無線通信装置において、
前記判断する手段は、前記SIR及び／又はチャネル状態が、リファレンスシグナルを増加させた場合に受信品質の改善が見られると判断される閾値以上であると判断される場合、前記SIR及び／又はチャネル状態の最大値と最小値との差に基づいて、リファレンスシグナルを増加させるか否かを判断する無線通信装置。
【請求項９】
請求項６ないし８のいずれか１項に記載の無線通信装置において、
前記リファレンスシグナルに基づいて、チャネル推定を行う手段と、
前記チャネル推定の結果を保持する手段と
を有し、
前記チャネル推定を行う手段は、前記増加させるリファレンスシグナルに基づくチャネル推定値を、リファレンスシグナルを増加させないサブフレーム対するチャネル推定値として使用する無線通信装置。
【請求項１０】
受信装置が、下りリンクの信号に基づいて、該下りリンクの信号に含まれるリファレンスシグナルを増加させるか否かを判断するステップと、
前記受信装置が、前記判断結果を通知する通知ステップと、
送信装置が、前記受信装置により送信されたリファレンスシグナルを増加させる情報に従って、リファレンスシグナルをマッピングするステップと
を有する無線通信システムにおける方法。
【発明の詳細な説明】
【技術分野】
【０００１】
本発明は、パケット交換型サービスを実現する移動通信システムに関する。
【背景技術】
【０００２】
現在、第３世代移動通信システムの次世代の移動通信システムにおける無線アクセス方式について、3GPP（3rd  Generation  Partnership  Project）において審議がされている。この次世代の移動通信システムは、LTE(Long  Term  Evolution）の呼称で呼ばれてもよい。また、この次世代の移動通信システムは、Evolved  UTRA  and  UTRANと呼ばれることもある。
【０００３】
LTEが適用される移動通信システムでは、W-CDMA(Wideband  CDMA(Code  Division  Multiple  Access))などの既存システムで採用されている個別チャネルリソース割当ての論理は踏襲されない。LTEが適用される移動通信システムでは、共有チャネル（シェアードチャネル）(shared  Channel)の割当てを前提として仕様開発が進んでいる。共有チャネルでは、ユーザ間で無線チャネルが共有して利用される。このようにすることにより、有限資源である無線リソースを有効に活用できる。
【非特許文献１】3GPP  TS  36.211  V.8.2.0  March  2008
【発明の開示】
【発明が解決しようとする課題】
【０００４】
LTEが適用される移動通信システムでは、基地局装置は、リファレンスシグナル(RS:  Reference  Signal)を含む下りリンクの信号を送信する。リファレンスシグナルは、例えば、図１に示すようにマッピングされる。図１には、リファレンスシグナルのマッピングの一例が示される。図１において横軸は周波数、縦軸は時間である。例えば、１無線フレームは、１０のサブフレームを含む。また、1サブフレームは、２のスロットを含む。また、１スロットは、６又は７のOFDMシンボルを含むようにしてもよい。図１によれば、ユニキャスト用のリファレンスシグナルは１サブフレーム毎に６サブキャリア間隔でマッピングされる。また、図１によれば、MBMS用のリファレンスシグナルは１スロット毎に２サブキャリア間隔でマッピングされる。ユニキャスト用のリファレンスシグナル及びMBMS用のリファレンスシグナルがマッピングされる以外のリソースエレメント(RE:  Resource  Element)には、データがマッピングされるようにしてもよい。ここで、１リソースエレメントは、１OFDMシンボルと１サブキャリアによる無線リソースであってもよい。
【０００５】
移動局装置は、基地局装置から送信された下りリンクの信号に含まれるリファレンスシグナルに基づいてチャネル推定を行う。
【０００６】
しかし、リファレンスシグナルは、無線環境を考慮してマッピングされたものではない。従って、該リファレンスシグナルに基づいて復調が行われた場合には変調精度が劣化する場合がある。図２には、移動局装置において、アンテナ端から入力した受信信号を復調した場合のサブキャリアと、変調精度(EVM:  Error  Vector  Magnitude)との関係を示す。このサブキャリアは、ベースバンド周波数としてもよい。図２によれば、帯域の端になるほど変調精度が劣化する。その結果、受信特性が劣化する。
【０００７】
例えば、移動局装置の有する受信装置の無線部では、隣接する他のユーザの信号をベースバンドフィルタで除去する処理が行われる。ベースバンドフィルタには、ローパスフィルタ(LPF:  Low  Pass  Filter)が含まれる。しかし、ベースバンドフィルタのフィルタ傾度（減衰傾度）を急峻に（大きく）した場合には、無線部の回路規模が大きくなる場合がある。このため、無線部の回路規模を小さくする場合には、フィルタ傾度大きくすることができない。フィルタ傾度が小さい場合には、該ベースバンドフィルタにより信号が送信される帯域（以下、信号帯域と呼ぶ）までカットされる場合がある。
【０００８】
例えば、W-CDMA(Wideband  Code  Division  Multiple  Access)が適用されるシステムでは、信号帯域幅が3.84MHzである。この場合、隣接する信号帯域間の間隔（以下、隣接チャネル間隔）を広く取れる。このため、ベースバンドフィルタのフィルタ傾度が小さい場合でも、信号帯域までカットされることはほとんどない。よって、フィルタ特性が変調精度に与える影響は小さい。
【０００９】
一方、LTEが適用されるシステムでは。信号帯域幅が4.5MHzである。W-CDMAが適用されるシステムと比較して、隣接チャネル間隔は狭くなる。このため、ベースバンドフィルタのフィルタ傾度が小さい場合、信号帯域までカットされる場合がある。よって、フィルタ特性が変調精度に与える影響は大きくなる。例えば、図３に示すように、ベースバンドフィルタにより、ユーザ（１）の信号帯域の端がカットされる。図３では、斜線部分によりベースバンドフィルタによりカットされる信号が示される。従って、サブキャリアと変調精度との関係として、図２に示すような特性が得られた場合、実際には受信状態がよいにもかかわらず、バースバンドフィルタの特性の影響により、変調精度が劣化したように見える場合がある。受信装置では、送信装置から送信された信号の受信品質を受信装置に送信する。
【００１０】
例えば、受信装置は、該受信品質をチャネルクオリティインジケータ(CQI:  Channel  Quality  Indicator)として送信する。例えば、受信装置を有する移動局装置は、送信装置を有する基地局装置により送信された下りリンクの信号に基づいて、CQIを求め、該CQIを基地局装置に送信する。基地局装置は、移動局装置により送信されたCQIに基づいて、該移動局装置に対する通信状態を判断する。基地局装置が、移動局装置の受信品質として、図３に示される信号帯域における受信品質の悪い部分に基づいてスケジューリングを行った場合には、該移動局装置に割り当てられる無線リソースは、本来の受信品質に基づいて割り当てられる無線リソースよりも少なくなる場合がある。ここで、本来の受信品質とは、ベースバンドフィルタの影響を受けない場合の受信品質である、例えば、基地局装置は、移動局装置により、信号帯域の真ん中を含む帯域に対応するCQIと信号帯域の端を含む帯域に対応するCQIとを受信した場合、信号帯域の端を含む帯域に対応するCQIに基づいて、移動局装置と通信を行う。信号帯域の端を含む帯域に対応するCQIは、上述したベースバンドフィルタの特性の影響により、受信特性が劣化したように見えるためである。このため、該移動局装置は、本来出せるはずの伝送レート（スループット）を出せなくなる場合がある。
【００１１】
そこで、受信特性の劣化を低減できる無線通信装置及び方法を提供することを目的とする。
【課題を解決するための手段】
【００１２】
上記課題を解決するため、本無線通信装置は、
上りリンクの信号に基づいて、下りリンクの信号に含まれるリファレンスシグナルを増加させるか否かを判断する手段と、
前記判断する手段における判断結果に従って、リファレンスシグナルをマッピングする手段と
を有する。
【００１３】
また、他の無線通信装置は、
下りリンクの信号を受信する無線通信装置により送信されたリファレンスシグナルを増加させる情報に従って、リファレンスシグナルをマッピングする手段
を有する。
【００１４】
また、他の無線通信装置は、
下りリンクの信号に基づいて、該下りリンクの信号に含まれるリファレンスシグナルを増加させるか否かを判断する手段と、
前記判断結果を通知する通知手段と
を有する。
【００１５】
本方法は、
受信装置が、下りリンクの信号に基づいて、該下りリンクの信号に含まれるリファレンスシグナルを増加させるか否かを判断するステップと、
前記受信装置が、前記判断結果を通知する通知ステップと、
送信装置が、前記受信装置により送信されたリファレンスシグナルを増加させる情報に従って、リファレンスシグナルをマッピングするステップと
を有する。
【発明の効果】
【００１６】
受信特性の劣化を低減することができる。
【発明を実施するための最良の形態】
【００１７】
次に、本発明を実施するための最良の形態を、以下の実施例に基づき図面を参照しつつ説明する。
【００１８】
なお、実施例を説明するための全図において、同一機能を有するものは同一符号を用い、繰り返しの説明は省略する。
【００１９】
（第１の実施例）
本実施例に係る無線通信装置が適用される移動通信システムの一例について、図４を参照して説明する。この無線通信装置は、基地局装置が有するようにしてもよい。また、この無線通信装置は、移動局装置が有するようにしてもよい。
【００２０】
本実施例に係る移動通信システムは、共有チャネル(shared  channel)を用いてユーザデータを送信する。また、共通チャネル(common  channel)を用いてユーザデータを送信する移動通信システムであってもよい。また、共有チャネル及び共通チャネルを用いてユーザデータを送信する移動通信システムであってもよい。本実施例に係る移動通信システムでは、基地局装置は、リファレンスシグナルを含む下りリンクの信号を送信する。リファレンスシグナルは、パイロット信号と呼ばれてもよい。リファレンスシグナルは、予め決定されるシンボルパターンが含まれてもよい。このような特徴を有する移動通信システムとして、LTE(Long  Term  Evolution)が適用される移動通信システムが挙げられる。そこで、本実施例では、一例として、LTEが適用される移動通信システムについて説明するが、上述した特徴を有する移動通信システムであれば、LTEが適用される移動通信システム以外にも適用可能である。このLTEが適用される移動通信システムは、上述したようにEvolved  UTRA  and  UTRANと呼ばれてもよい。
【００２１】
移動通信システムは、移動局装置(MS:  Mobile  Station)１００を有する。また、移動通信システムは、基地局装置(eNB:  eNode  B)２００（２００１、２００２、２００３）を有する。基地局装置２００の上位にはMME(Mobility  Management  Entity)／S-GW(Serving-Gateway)３００（３００１、３００２）が設置される。
【００２２】
図４において、S1は、基地局装置２００とMME/S-GW３００との間のインターフェースである。また、X2は、基地局装置２００間のインターフェースである。
【００２３】
基地局装置２００は、呼制御、無線制御を行う。また、基地局装置２００は、RRC(radio  resource  control)の機能を有する。基地局装置２００には、S1-AP(Application)、X2-APが含まれる。
【００２４】
MME／S-GW３００は、NAS(Non-Access  Stratum)を終端し、アイドル状態である移動局装置の管理、SAE(System  Architecture  Evolution)ベアラリソースの管理を行う。
【００２５】
移動通信システムは、下りリンクについてはOFDMA(Orthogonal  Frequency  Division  Multiple Access)、上りリンクについてはSC-FDMA(Single-Carrier  Frequency  Division  Multiple  Access)が採用される。OFDMAは、周波数帯域を複数の狭い周波数帯域（サブキャリア）に分割し、各周波数帯上にデータを載せて伝送を行う方式である。OFDMAは、サブキャリアを周波数上に、一部重なりあいながらも互いに干渉することなく密に並べることで、高速伝送を実現し、周波数の利用効率を上げることができる。SC-FDMAは、周波数帯域を分割し、複数の端末間で異なる周波数帯域を用いて伝送することで、端末間の干渉を低減することができる伝送方式である。
【００２６】
本実施例に係る移動局装置１００ｎについて、図５を参照して説明する。
【００２７】
本実施例に係る移動局装置１００ｎは、復調部１０２を有する。復調部１０２は、基地局装置２００により送信された下りリンクの信号の復調を行う。復調部１０２は、復調された下りリンクの信号をチャネル推定部１０４に入力する。
【００２８】
本実施例に係る移動局装置１００ｎは、チャネル推定部１０４を有する。チャネル推定部１０４は、復調部１０２により入力された復調された下りリンクの信号に基づいて、チャネル推定を行う。例えば、チャネル推定部１０４は、復調された下りリンクの信号に含まれるリファレンスシグナルに基づいてチャネル推定を行う。そして、移動局装置１００ｎは、チャネル推定の結果に基づいて、復号を行う。チャネル推定部１０４は、復号された下りリンクの信号を後述するSIR(Signal  to  Interference  Ratio)測定部１０６に入力する。
【００２９】
また、チャネル推定部１０４は、後述する増加させたリファレンスシグナルに基づいて行われたチャネル推定値を保持するようにしてもよい。そして、リファレンスシグナルの数を増加させないサブフレームのチャネル推定の際に、該保持したチャネル推定値を用いるようにしてもよい。リファレンスシグナルの数を増加させるサブフレームではマッピングできるデータは減少するが、リファレンスシグナルの数を増加させないサブフレームではマッピングできるデータは減少しない。リファレンスシグナルの数を増加させないサブフレームにおいて保持したチャネル推定値を用いることにより、伝送レートの低下を抑えつつ、受信特性を改善できる。
【００３０】
本実施例に係る移動局装置１００ｎは、SIR測定部１０６を有する。SIR測定部１０６は、下りリンクの受信品質を測定する。例えば、SIR測定部１０６は、下りリンクの信号に含まれるリファレンスシグナルの受信品質に基づいて、SIRを測定する。SIR測定部１０６は、測定されたSIRを後述する制御信号生成部１０８に入力する。また、SIR測定部１０６は、測定したSIRに基づいて、チャネル状態の良否を示す情報(CQI:  Channel  Quality  Indicator)を導出するようにしてもよい。この場合、SIR測定部１０６は、導出したCQIを制御信号生成部１０８に入力するようにしてもよい。
【００３１】
本実施例に係る移動局装置１００ｎは、制御信号生成部１０８を有する。制御信号生成部１０８は、入力されたSIRを含む制御信号を生成する。また、制御信号生成部１０８は、CQIを含む制御信号を生成するようにしてもよい。生成された制御信号は、基地局装置２００に送信される。
【００３２】
本実施例に係る基地局装置について、図６を参照して説明する。
【００３３】
本実施例に係る基地局装置２００は、復調部２０２を有する。復調部２０２には、移動局装置１００ｎにより送信された上りリンクの信号が入力される。復調部２０２は、入力された上りリンクの信号を復調する。復調部２０２は、復調された上りリンクの信号を復号部２０４に入力する。
【００３４】
本実施例に係る基地局装置２００は、復号部２０４を有する。復号部２０４は、復調部２０２により入力された復調された上りリンクの信号の復号を行う。この上りリンクの信号には、移動局装置１００ｎにおいて測定された下りリンクの信号のSIR及び／又はチャネル状態の良否を示す情報が含まれてもよい。復号部２０４は、復号された上りリンクの信号を判断部２０６に入力する。
【００３５】
本実施例に係る基地局装置２００は、判断部２０６を有する。判断部２０６は、下りリンクの信号に含まれるリファレンスシグナルの数を増加させるかを判断する。例えば、判断部２０６は、入力された下りリンクの信号のSIR及び／又はチャネル状態の良否を示す情報に基づいて、リファレンスシグナルの数を増加させるかを判断するようにしてもよい。また、判断部２０６は、下りリンクの信号の再送回数に基づいて、リファレンスシグナルの数を増加させるかを判断するようにしてもよい。判断部２０６は、リファレンスシグナルの数を増加させるかの判断結果をリファレンスシグナル生成部２０８に入力する。
【００３６】
例えば、判断部２０６は、入力されたSIRが、リファレンスシグナルを増加させた場合に受信品質の改善が見られると判断される閾値未満であると判断される場合には、リファレンスシグナルを増加させると判断しない。判断部２０６は、入力されたCQIが、リファレンスシグナルを増加させた場合に受信品質の改善が見られると判断される閾値未満であると判断される場合には、リファレンスシグナルを増加させると判断しないようにしてもよい。
【００３７】
また、判断部２０６は、入力されたSIRが、リファレンスシグナルを増加させた場合に受信品質の改善が見られると判断される閾値以上であると判断される場合には、以下の処理を行う。判断部２０６は、図７に示すように、入力されたSIRの最大値と最小値との差（Δ）を求める。そして、判断部２０６は、該差が、フィルタの影響によるものであると判断される閾値未満である場合には、リファレンスシグナルを増加させると判断しない。一方、判断部２０６は、該差が、フィルタ特性の影響によるものであると判断される閾値以上である場合には、リファレンスシグナルを増加させると判断する。このようにすることにより、リファレンスシグナルを増加させることにより受信品質の向上が見込まれる場合に、リファレンスシグナルを増加させると判断する。また、フィルタ特性の影響により、SIRが劣化していると判断される場合に、リファレンスシグナルを増加させると判断する。
【００３８】
また、判断部２０６は、入力されたCQIが、リファレンスシグナルを増加させた場合に受信品質の改善が見られると判断される閾値以上であると判断される場合には、以下の処理を行うようにしてもよい。判断部２０６は、図７に示すように、入力されたCQIの最大値と最小値との差を求める。そして、判断部２０６は、該差が、フィルタの影響によるものであると判断される閾値未満である場合には、リファレンスシグナルを増加させると判断しない。一方、判断部２０６は、該差が、フィルタ特性の影響によるものであると判断される閾値以上である場合には、リファレンスシグナルを増加させると判断する。このようにすることにより、リファレンスシグナルを増加させることにより受信品質の向上が見込まれる場合に、リファレンスシグナルを増加させると判断する。また、フィルタ特性の影響により、CQIが劣化していると判断される場合に、リファレンスシグナルを増加させると判断する。
【００３９】
また、判断部２０６は、入力されたSIR及びCQIに基づいて、リファレンスシグナルを増加させるかを判断するようにしてもよい。
【００４０】
また、判断部２０６は、下りリンクの信号に含まれるリファレンスシグナルの数を増加させた後に、該リファレンスシグナルの数を減少させる、言い換えれば元に戻すかを判断するようにしてもよい。例えば、判断部２０６は、リファレンスシグナルの数を増加させる必要がないほど移動局装置１００ｎにおける受信特性が改善した場合には、リファレンスシグナルの数を元に戻すと判断する。具体的には、判断部２０６は、入力された下りリンクの信号のSIR及び／又はチャネル状態の良否を示す情報に基づいて、リファレンスシグナルの数を元に戻すかを判断するようにしてもよい。この場合、判断部２０６は、入力された下りリンクの信号のSIR及び／又はチャネル状態の良否を示す情報が、リファレンスシグナルの数を増加させる必要がないと想定される閾値以上である場合に、リファレンスシグナルの数を元に戻すと判断するようにしてもよい。また、判断部２０６は、下りリンクの信号の再送回数に基づいて、リファレンスシグナルの数を元に戻すかを判断するようにしてもよい。この場合、判断部２０６は、下りリンクの信号の再送回数が、リファレンスシグナルの数を増加させる必要がないと想定される閾値以下である場合に、リファレンスシグナルの数を元に戻すと判断するようにしてもよい。判断部２０６は、リファレンスシグナルの数を元に戻すと判断した場合にリファレンスシグナルの数を元に戻す情報をリファレンスシグナル生成部２０８に入力する。
【００４１】
本実施例に係る基地局装置２００は、リファレンスシグナル生成部２０８を有する。リファレンスシグナル生成部２０８は、下りリンクの信号に含まれるリファレンスシグナルを生成する。また、リファレンスシグナル生成部２０８は、判断部２０６により、リファレンスシグナルの数を増加させる情報が入力された場合、生成するリファレンスシグナルの数を増加させる。また、リファレンスシグナル生成部２０８は、判断部２０６により、リファレンスシグナルの数を元に戻すことを示す情報が入力された場合、生成するリファレンスシグナルの数を元に戻す。リファレンスシグナル生成部２０８は、生成したリファレンスシグナルをマッピング部２１０に入力する。
【００４２】
本実施例に係る基地局装置２００は、マッピング部２１０を有する。マッピング部２１０には、リファレンスシグナルとデータとが入力される。マッピング部２１０は、入力されたリファレンスシグナルとデータとをマッピングする。例えば、判断部２０６によりリファレンスシグナルの数を増加させると判断された場合には、図８に示すように、マッピング部２１０は、１サブフレーム毎に６サブキャリア間隔でマッピングされるリファレンスシグナルに加え、１無線フレームの最初のサブフレームにおいては、１スロット毎にリファレンスシグナルをマッピングするようにしてもよい。図８では、増加させるリファレンスシグナルを、第２のリファレンスシグナルと呼ぶ。移動局装置１００ｎにおける信号帯域の端における変調精度の劣化を低減する観点からは、該信号帯域の端のサブキャリアを含む無線リソースにマッピングされることが好ましい。ここで、信号帯域の端とは、当該移動局装置１００ｎが受信できる周波数帯域の端を示す。例えば、受信できる周波数帯域は、移動局装置１００ｎの性能に応じて、1.4ＭＨｚから20MHzまで、ステップ的に可変であってもよい。この周波数帯域は、システム帯域と呼ばれてもよい。ここで述べたマッピングは一例であり適宜変更可能である。
【００４３】
また、例えば、判断部２０６によりリファレンスシグナルの数を増加させると判断されない場合には、図１を参照して説明したように、リファレンスシグナルは１サブフレーム毎に６サブキャリア間隔でマッピングされるようにしてもよい。
【００４４】
本実施例に係る無線通信システムの動作について、図９を参照して説明する。
【００４５】
移動局装置１００ｎは、上りリンクの信号を送信する（ステップＳ８０２）。この上りリンクの信号には、移動局装置１００ｎにおいて測定された下りリンクの信号のSIR及び／又はチャネル状態の良否を示す情報が含まれてもよい。
【００４６】
基地局装置２００は、移動局装置１００ｎにより送信された上りリンクの信号を受信し、復調を行う（ステップＳ８０４）。
【００４７】
基地局装置２００は、復調された上りリンクの信号の復号を行う（ステップＳ８０６）。例えば、基地局装置２００は、上りリンクの信号に含まれるリファレンスシグナルに基づいて、復号を行う。
【００４８】
基地局装置２００は、下りリンクの信号に含まれるリファレンスシグナルの数を増加させるかを判断する（ステップＳ８０８）。例えば、基地局装置２００は、移動局装置１００ｎにおいて測定された下りリンクの信号のSIR及び／又はチャネル状態の良否を示す情報に基づいて、リファレンスシグナルの数を増加させるかを判断するようにしてもよい。また、例えば、基地局装置２００は、再送回数に基づいて、リファレンスシグナルの数を増加させるかを判断するようにしてもよい。
【００４９】
基地局装置２００は、リファレンスシグナル及びデータを無線リソースにマッピングする（ステップＳ８１０）。例えば、基地局装置２００は、リファレンスシグナルの数を増加させる場合には、図８を参照して説明したように、１サブフレーム毎に６サブキャリア間隔でマッピングされるリファレンスシグナルに加え、１無線フレームの最初のサブフレームにおいては、１スロット毎にリファレンスシグナルをマッピングする。移動局装置１００ｎにおける信号帯域の端における変調精度の劣化を低減する観点からは、該信号帯域の端のサブキャリアを含む無線リソースにマッピングされることが好ましい。ここで、信号帯域の端とは、当該移動局装置１００ｎが受信できる周波数帯域の端を示す。例えば、受信できる周波数帯域は、移動局装置１００ｎの性能に応じて、1.4ＭＨｚから20MHzまで、ステップ的に可変であってもよい。この周波数帯域は、システム帯域と呼ばれてもよい。また、例えば、リファレンスシグナルの数を増加させない場合には、図１を参照して説明したように、リファレンスシグナルは１サブフレーム毎に６サブキャリア間隔でマッピングされるようにしてもよい。
【００５０】
基地局装置２００は、下りリンクの信号を送信する。
【００５１】
本実施例によれば、基地局装置は、移動局装置との間の通信品質に基づいて、下りリンクの信号にマッピングするリファレンスシグナルの数を増加させることができる。例えば、基地局装置は、リファレンスシグナルの数を増加させる場合に、該増加させるリファレンスシグナルを、移動局装置が受信できる周波数帯域の端を含む帯域にマッピングする。ここで、信号帯域の端とは、当該移動局装置１００ｎが受信できる周波数帯域の端を示す。例えば、基地局装置は、移動局装置が受信できる周波数帯域の端を含むサブキャリアにマッピングするようにしてもよいし、移動局装置が受信できる周波数帯域の端を含むリソースブロックにマッピングするようにしてもよい。ここで、リソースブロックは、複数のサブキャリアを含む。このようにすることにより、移動局装置において、ベースバンドフィルタによる受信特性の劣化を低減できる。マッピングするリファレンスシグナルの数を増加させるほどチャネル推定精度が改善されるためである。特に、本実施例によれば、移動局装置の受信できる周波数帯域の端における受信特性が改善される。例えば、受信できる周波数帯域は、移動局装置１００ｎの性能に応じて、1.4ＭＨｚから20MHzまで、ステップ的に可変であってもよい。受信できる周波数帯域が広がるほど、移動局装置においては、該周波数帯域の端における受信特性が劣化する。特に、該周波数帯域が10MHz以上の場合に顕著となる。
【００５２】
また、本実施例によれば、基地局装置は、リファレンスシグナルの数を増加させた後に、リファレンスシグナルの数を増加させる必要がないほど移動局装置における受信特性が改善した場合には、リファレンスシグナルの数を元に戻す。マッピングするリファレンスシグナルの数を増加させるほどチャネル推定精度は改善されるが、マッピングできるデータは減少する。このようにすることにより、リファレンスシグナルの数を増加させることにより生じる伝送レートの低下を最小限におさえることができる。
【００５３】
本実施例によれば、移動局装置の受信できる周波数帯域の端における受信特性が劣化する問題を改善できる。その結果、移動局装置において、該移動局装置のフィルタの特性が、基地局装置との通信状態の判断に与える影響を低減できる。
【００５４】
（第２の実施例）
本実施例に係る無線通信装置が適用される移動通信システムは、図４を参照して説明したシステムと同様である。この無線通信装置は、基地局装置が有するようにしてもよい。また、この無線通信装置は、移動局装置が有するようにしてもよい。
【００５５】
本実施例に係る移動通信システムでは、移動局装置１００ｎが、下りリンクの信号に含まれるリファレンスシグナルを増加させるかを判断する。そして、該移動局装置１００ｎは、リファレンスシグナルを増加させると判断した場合、基地局装置２００にリファレンスシグナルを増加させることを要求する。
【００５６】
本実施例に係る移動局装置１００ｎについて、図１０を参照して説明する。
【００５７】
本実施例に係る移動局装置１００ｎは、復調部１０２を有する。復調部１０２は、基地局装置２００により送信された下りリンクの信号の復調を行う。復調部１０２は、復調された下りリンクの信号をチャネル推定部１０４に入力する。
【００５８】
本実施例に係る移動局装置１００ｎは、チャネル推定部１０４を有する。チャネル推定部１０４は、復調部１０２により入力された復調された下りリンクの信号に基づいて、チャネル推定を行う。例えば、チャネル推定部１０４は、復調された下りリンクの信号に含まれるリファレンスシグナルに基づいてチャネル推定を行う。そして、移動局装置１００ｎは、チャネル推定の結果に基づいて、復号を行う。チャネル推定部１０４は、復号された下りリンクの信号を後述するSIR測定部１０６に入力する。
【００５９】
また、チャネル推定部１０４は、増加させたリファレンスシグナルに基づいて行われたチャネル推定値を保持するようにしてもよい。そして、リファレンスシグナルの数を増加させないサブフレームのチャネル推定の際に、該保持したチャネル推定値を用いるようにしてもよい。リファレンスシグナルの数を増加させるサブフレームではマッピングできるデータは減少するが、リファレンスシグナルの数を増加させないサブフレームではマッピングできるデータは減少しない。リファレンスシグナルの数を増加させないサブフレームにおいて保持したチャネル推定値を用いることにより、伝送レートの低下を抑えつつ、受信特性を改善できる。
【００６０】
本実施例に係る移動局装置１００ｎは、SIR測定部１０６を有する。SIR測定部１０６は、下りリンクの受信品質を測定する。例えば、SIR測定部１０６は、下りリンクの信号に含まれるリファレンスシグナルの受信品質に基づいて、SIRを測定する。SIR測定部１０６は、測定されたSIRを後述する判断部１１０に入力する。また、SIR測定部１０６は、測定したSIRに基づいて、CQIを導出するようにしてもよい。この場合、SIR測定部１０６は、導出したCQIを判断部１１０に入力するようにしてもよい。
【００６１】
本実施例に係る移動局装置１００ｎは、判断部１１０を有する。判断部１１０は、入力されたSIRに基づいて、下りリンクの信号に含まれるリファレンスシグナルを増加させるかの判断を行う。また、判断部１１０は、入力されたCQIに基づいて、下りリンクの信号に含まれるリファレンスシグナルを増加させるかの判断を行うようにしてもよい。
【００６２】
判断部１１０は、入力されたSIRが、リファレンスシグナルを増加させた場合に受信品質の改善が見られると判断される閾値未満であると判断される場合には、リファレンスシグナルを増加させると判断しない。判断部１１０は、入力されたCQIが、リファレンスシグナルを増加させた場合に受信品質の改善が見られると判断される閾値未満であると判断される場合には、リファレンスシグナルを増加させると判断しないようにしてもよい。
【００６３】
また、判断部１１０は、入力されたSIRが、リファレンスシグナルを増加させた場合に受信品質の改善が見られると判断される閾値以上であると判断される場合には、以下の処理を行う。判断部１１０は、図１１に示すように、入力されたSIRの最大値と最小値との差（Δ）を求める。そして、判断部１１０は、該差が、フィルタの影響によるものであると判断される閾値未満である場合には、リファレンスシグナルを増加させると判断しない。一方、判断部１１０は、該差が、フィルタ特性の影響によるものであると判断される閾値以上である場合には、リファレンスシグナルを増加させると判断する。このようにすることにより、リファレンスシグナルを増加させることにより受信品質の向上が見込まれる場合に、リファレンスシグナルを増加させると判断する。また、フィルタ特性の影響により、SIRが劣化していると判断される場合に、リファレンスシグナルを増加させると判断する。
【００６４】
また、判断部１１０は、入力されたCQIが、リファレンスシグナルを増加させた場合に受信品質の改善が見られると判断される閾値以上であると判断される場合には、以下の処理を行うようにしてもよい。判断部１１０は、図１１に示すように、入力されたCQIの最大値と最小値との差を求める。そして、判断部１１０は、該差が、フィルタの影響によるものであると判断される閾値未満である場合には、リファレンスシグナルを増加させると判断しない。一方、判断部１１０は、該差が、フィルタ特性の影響によるものであると判断される閾値以上である場合には、リファレンスシグナルを増加させると判断する。このようにすることにより、リファレンスシグナルを増加させることにより受信品質の向上が見込まれる場合に、リファレンスシグナルを増加させると判断する。また、フィルタ特性の影響により、CQIが劣化していると判断される場合に、リファレンスシグナルを増加させると判断する。判断部１１０は、リファレンスシグナルを増加させることの判断結果を制御信号生成部１０８に入力する。
【００６５】
また、判断部１１０は、入力されたSIR及びCQIに基づいて、リファレンスシグナルを増加させるかを判断するようにしてもよい。
【００６６】
また、判断部１１０は、下りリンクの信号に含まれるリファレンスシグナルの数を増加させると判断した後に、該リファレンスシグナルの数を減少させる、言い換えれば元に戻すかを判断するようにしてもよい。例えば、判断部１１０は、リファレンスシグナルの数を増加させる必要がないほど当該移動局装置１００ｎにおける受信特性が改善した場合には、リファレンスシグナルの数を元に戻すと判断する。具体的には、判断部１１０は、入力された下りリンクの信号のSIR及び／又はチャネル状態の良否を示す情報に基づいて、リファレンスシグナルの数を元に戻すかを判断するようにしてもよい。この場合、判断部１１０は、入力された下りリンクの信号のSIR及び／又はチャネル状態の良否を示す情報が、リファレンスシグナルの数を増加させる必要がないと想定される閾値以上である場合に、リファレンスシグナルの数を元に戻すと判断するようにしてもよい。判断部１１０は、リファレンスシグナルの数を元に戻すと判断した場合にリファレンスシグナルの数を元に戻す情報を制御信号生成部１０８に入力する。
【００６７】
本実施例に係る移動局装置１００ｎは、制御信号生成部１０８を有する。制御信号生成部１０８は、入力されたリファレンスシグナルを増加させることを示す情報を含む制御信号を生成する。そして、制御信号生成部１０８は、生成した制御信号を基地局装置２００に送信する。また、制御信号生成部１０８は、入力されたリファレンスシグナルの数を元に戻す情報を含む制御信号を生成する。例えば、制御信号生成部１０８は、図１２に示すように、リファレンスシグナルを増加させることを要求するためのリファレンスシグナル増加要求を生成する。例えば、リファレンスシグナル増加要求として、１ビットの情報を生成するようにしてもよい。例えば、０の場合にはリファレンスシグナルを増加させないことを示し、１の場合にはリファレンスシグナルを増加させることを示すようにしてもよい。そして、制御信号生成部１０８は、生成した制御信号を基地局装置２００に送信する。
【００６８】
本実施例に係る基地局装置について、図１３を参照して説明する。
【００６９】
本実施例に係る基地局装置２００は、復調部２０２を有する。復調部２０２には、移動局装置１００ｎにより送信された上りリンクの信号が入力される。復調部２０２は、入力された上りリンクの信号を復調する。上りリンクの信号には、制御情報が含まれる。復調部２０２は、復調された上りリンクの信号を復号部２０４に入力する。
【００７０】
本実施例に係る基地局装置２００は、復号部２０４を有する。復号部２０４は、復調部２０２により入力された復調された上りリンクの信号の復号を行う。例えば、復号部２０４は、制御情報の復号を行う。該制御情報には、リファレンスシグナルの数を増加させることを示す情報が含まれる場合もある。また、該制御情報には、リファレンスシグナルの数を元に戻す情報が含まれる場合もある。復号部２０４は、復号した上りリンクの信号をリファレンスシグナル生成部２０８に入力する。
【００７１】
本実施例に係る基地局装置２００は、リファレンスシグナル生成部２０８を有する。リファレンスシグナル生成部２０８は、下りリンクの信号に含まれるリファレンスシグナルを生成する。また、リファレンスシグナル生成部２０８は、復号部２０４により、リファレンスシグナルの数を増加させる情報が入力された場合、生成するリファレンスシグナルの数を増加させる。また、リファレンスシグナル生成部２０８は、復号部２０４により、リファレンスシグナルの数を元に戻す情報が入力された場合、生成するリファレンスシグナルの数を元に戻す。リファレンスシグナル生成部２０８は、生成したリファレンスシグナルをマッピング部２１０に入力する。
【００７２】
本実施例に係る基地局装置２００は、マッピング部２１０を有する。マッピング部２１０には、リファレンスシグナルとデータとが入力される。マッピング部２１０は、入力されたリファレンスシグナルとデータとをマッピングする。例えば、移動局装置１００ｎによりリファレンスシグナルの数を増加させる情報が送信されている場合には、図８に示すように、マッピング部２１０は、１サブフレーム毎に６サブキャリア間隔でマッピングされるリファレンスシグナルに加え、１無線フレームの最初のサブフレームにおいては、１スロット毎にリファレンスシグナルをマッピングする。移動局装置１００ｎにおける信号帯域の端における変調精度の劣化を低減する観点からは、該信号帯域の端のサブキャリアを含む無線リソースにマッピングされることが好ましい。ここで、信号帯域の端とは、当該移動局装置１００ｎが受信できる周波数帯域の端を示す。例えば、受信できる周波数帯域は、移動局装置１００ｎの性能に応じて、1.4ＭＨｚから20MHzまで、ステップ的に可変であってもよい。この周波数帯域は、システム帯域と呼ばれてもよい。ここで述べたマッピングは一例であり適宜変更可能である。
【００７３】
また、例えば、移動局装置１００ｎによりリファレンスシグナルの数を増加させる情報が送信されていない場合には、図１を参照して説明したように、リファレンスシグナルは１サブフレーム毎に６サブキャリア間隔でマッピングされるようにしてもよい。
【００７４】
本実施例に係る無線通信システムの動作について、図１４を参照して説明する。
【００７５】
基地局装置２００は、下りリンクの信号を送信する（ステップＳ１３０２）。
【００７６】
移動局装置１００ｎは、基地局装置２００により送信された下りリンクの信号を受信し、復調を行う（ステップＳ１３０４）。
【００７７】
移動局装置１００ｎは、復調された下りリンクの信号に基づいて、SIRの測定を行う（ステップＳ１３０６）。例えば、移動局装置１００ｎは、下りリンクの信号に含まれるリファレンスシグナルに基づいて、SIRの測定を行う。また、例えば、移動局装置１００ｎは、下りリンクの信号に含まれるリファレンスシグナルに基づいて測定されたSIRに基づいて、CQIを導出するようにしてもよい。
【００７８】
移動局装置１００ｎは、下りリンクの信号に含まれるリファレンスシグナルの数を増加させるかを判断する（ステップＳ１３０８）。また、移動局装置１００ｎは、リファレンスシグナルの数を増加させている場合には、該リファレンスシグナルの数の元に戻すかを判断するようにしてもよい。例えば、移動局装置１００ｎは、SIRの結果に基づいて判断する。また、例えば、移動局装置１００ｎは、CQIに基づいて、判断するようにしてもよい。
【００７９】
移動局装置１００ｎは、上りリンク信号を送信する（ステップＳ１３１０）。この上りリンクの信号には、リファレンスシグナルの数を増加させることを示す制御情報が含まれてもよい。また、この上りリンクの信号には、リファレンスシグナルの数を元に戻す制御情報が含まれてもよい。
【００８０】
基地局装置２００は、移動局装置１００ｎにより送信された上りリンクの信号を受信し、復調を行う（ステップＳ１３１２）。
【００８１】
基地局装置２００は、復調された上りリンクの信号の復号を行う（ステップＳ１３１４）。
【００８２】
基地局装置２００は、上りリンクの信号に含まれるリファレンスシグナルを増加させるかを示す情報に基づいて、リファレンスシグナル及びデータを無線リソースにマッピングする（ステップＳ１３１６）。例えば、基地局装置２００は、リファレンスシグナルの数を増加させる場合には、図８を参照して説明したように、１サブフレーム毎に６サブキャリア間隔でマッピングされるリファレンスシグナルに加え、１無線フレームの最初のサブフレームにおいては、１スロット毎にリファレンスシグナルをマッピングする。移動局装置１００ｎにおける信号帯域の端における変調精度の劣化を低減する観点からは、該信号帯域の端のサブキャリアを含む無線リソースにマッピングされることが好ましい。ここで、信号帯域の端とは、当該移動局装置１００ｎが受信できる周波数帯域の端を示す。例えば、受信できる周波数帯域は、移動局装置１００ｎの性能に応じて、1.4ＭＨｚから20MHzまで、ステップ的に可変であってもよい。この周波数帯域は、システム帯域と呼ばれてもよい。また、例えば、リファレンスシグナルの数を元に戻す場合には、図１を参照して説明したように、リファレンスシグナルは１サブフレーム毎に６サブキャリア間隔でマッピングされるようにしてもよい。また、例えば、リファレンスシグナルの数を増加させない場合には、図１を参照して説明したように、リファレンスシグナルは１サブフレーム毎に６サブキャリア間隔でマッピングされるようにしてもよい。
【００８３】
基地局装置２００は、下りリンクの信号を送信する（ステップＳ１３１８）。
【００８４】
本実施例によれば、基地局装置は、移動局装置との間の通信品質に基づいて、下りリンクの信号にマッピングするリファレンスシグナルの数を増加させることができる。例えば、移動局装置は、受信品質の低下を検出した場合に、リファレンスシグナルを増加させることを基地局装置に要求できる。基地局装置は、リファレンスシグナルの数を増加させる場合に、該増加させるリファレンスシグナルを、移動局装置が受信できる周波数帯域の端を含む帯域にマッピングする。例えば、基地局装置は、移動局装置が受信できる周波数帯域の端を含むサブキャリアにマッピングするようにしてもよいし、移動局装置が受信できる周波数帯域の端を含むリソースブロックにマッピングするようにしてもよい。ここで、リソースブロックは、複数のサブキャリアを含む。
【００８５】
このようにすることにより、移動局装置において、ベースバンドフィルタによる受信特性の劣化を低減できる。マッピングするリファレンスシグナルの数を増加させるほどチャネル推定精度が改善されるためである。特に、本実施例によれば、移動局装置が受信できる周波数帯域の端における受信特性が改善される。例えば、受信できる周波数帯域は、移動局装置１００ｎの性能に応じて、1.4ＭＨｚから20MHzまで、ステップ的に可変であってもよい。受信できる周波数帯域が広がるほど、移動局装置においては、該周波数帯域の端における受信特性が劣化する。特に、該周波数帯域が10MHz以上の場合に顕著となる。
【００８６】
また、本実施例によれば、移動局装置は、リファレンスシグナルの数を増加させた後に、リファレンスシグナルの数を増加させる必要がないほど受信特性が改善した場合には、リファレンスシグナルの数を元に戻す要求を行うことができる。マッピングするリファレンスシグナルの数を増加させるほどチャネル推定精度は改善されるが、マッピングできるデータは減少する。このようにすることにより、リファレンスシグナルの数を増加させることにより生じる伝送レートの低下を最小限におさえることができる。
【００８７】
本実施例によれば、移動局装置の受信できる周波数帯域の端における受信特性が劣化する問題を改善できる。その結果、移動局装置において、該移動局装置のフィルタの特性が、基地局装置との通信状態の判断に与える影響を低減できる。
【００８８】
以上の実施例を含む実施形態に関し、更に、以下の付記を開示する。
【００８９】
（付記１）
上りリンクの信号に基づいて、下りリンクの信号に含まれるリファレンスシグナルを増加させるか否かを判断する手段と、
前記判断する手段における判断結果に従って、リファレンスシグナルをマッピングする手段と
を有する無線通信装置。
【００９０】
（付記２）
付記1に記載の無線通信装置において、
前記マッピングする手段は、前記下りリンクの信号が送信される周波数帯域の端を含む無線リソースに増加させるリファレンスシグナルをマッピングする無線通信装置。
【００９１】
（付記３）
付記２に記載の無線通信装置において、
前記マッピングする手段は、前記下りリンクの信号を受信する無線通信装置が受信できる周波数帯域の端を含む無線リソースに増加させるリファレンスシグナルをマッピングする無線通信装置。
【００９２】
（付記４）
付記１ないし３のいずれか１項に記載の無線通信装置において、
前記上りリンクの信号には、前記下りリンクにおけるチャネル状態を示す情報が含まれる無線通信装置。
【００９３】
（付記５）
付記４に記載の無線通信装置において、
前記判断する手段は、前記下りリンクの信号が送信される周波数帯域の端の受信特性に基づいて、リファレンスシグナルを増加させることを判断する無線通信装置。
【００９４】
（付記６）
下りリンクの信号を受信する無線通信装置により送信されたリファレンスシグナルを増加させる情報に従って、リファレンスシグナルをマッピングする手段
を有する無線通信装置。
【００９５】
（付記７）
付記１ないし６のいずれか１項に記載の無線通信装置を有する基地局装置。
【００９６】
（付記８）
下りリンクの信号に基づいて、下りリンクの信号に含まれるリファレンスシグナルを増加させるか否かを判断する手段と、
前記判断結果を通知する通知手段と
を有する無線通信装置。
【００９７】
（付記９）
付記８に記載の無線通信装置において、
前記判断する手段は、下りリンクの信号のSIR及び／又はチャネル状態を示す情報に基づいて、該下りリンクの信号に含まれるリファレンスシグナルを増加させるか否かを判断する無線通信装置。
【００９８】
（付記１０）
付記９に記載の無線通信装置において、
前記判断する手段は、前記SIR及び／又はチャネル状態が、リファレンスシグナルを増加させた場合に受信品質の改善が見られると判断される閾値未満であると判断される場合には、リファレンスシグナルを増加させると判断しない無線通信装置。
【００９９】
（付記１１）
付記９に記載の無線通信装置において、
前記判断する手段は、前記SIR及び／又はチャネル状態が、リファレンスシグナルを増加させた場合に受信品質の改善が見られると判断される閾値以上であると判断される場合、前記SIR及び／又はチャネル状態の最大値と最小値との差に基づいて、リファレンスシグナルを増加させるか否かを判断する無線通信装置。
【０１００】
（付記１２）
付記１１に記載の無線通信装置において、
前記判断する手段は、前記差が、フィルタの影響によるものであると判断される閾値未満である場合には、リファレンスシグナルを増加させると判断しない無線通信装置。
【０１０１】
（付記１３）
付記１１に記載の無線通信装置において、
前記判断する手段は、前記差が、フィルタ特性の影響によるものであると判断される閾値以上である場合には、リファレンスシグナルを増加させると判断する無線通信装置。
【０１０２】
（付記１４）
付記８ないし１３のいずれか１項に記載の無線通信装置において、
前記リファレンスシグナルに基づいて、チャネル推定を行う手段と、
前記チャネル推定の結果を保持する手段と
を有し、
前記チャネル推定を行う手段は、前記増加させるリファレンスシグナルに基づくチャネル推定値を、リファレンスシグナルを増加させないサブフレーム対するチャネル推定値として使用する無線通信装置。
【０１０３】
（付記１５）
付記８ないし１４のいずれか１項に記載の無線通信装置と有する移動局装置。
【０１０４】
（付記１６）
上りリンクの信号に基づいて、下りリンクの信号に含まれるリファレンスシグナルを増加させるか否かを判断するステップと、
前記判断するステップにおける判断結果に従って、リファレンスシグナルをマッピングするステップと
を有する無線通信装置における方法。
【０１０５】
（付記１７）
受信装置が、下りリンクの信号に基づいて、該下りリンクの信号に含まれるリファレンスシグナルを増加させるか否かを判断するステップと、
前記受信装置が、前記判断結果を通知する通知ステップと、
送信装置が、前記受信装置により送信されたリファレンスシグナルを増加させる情報に従って、リファレンスシグナルをマッピングするステップと
を有する無線通信システムにおける方法。
【図面の簡単な説明】
【０１０６】
【図１】下りリンクの信号のマッピングの一例を示す説明図である。
【図２】ベースバンド周波数と変調精度との関係を示す説明図である。
【図３】フィルタの特性を示す説明図である。
【図４】一実施例に係る無線通信システムの一例を示す説明図である。
【図５】一実施例に係る移動局装置を示す部分ブロック図である。
【図６】一実施例に係る基地局装置を示す部分ブロック図である。
【図７】一実施例に係る基地局装置の動作を示す説明図である。
【図８】一実施例に係るリファレンスシグナルのマッピングの一例を示す説明図である。
【図９】一実施例に係る無線通信システムの動作を示すフロー図である。
【図１０】一実施例に係る移動局装置を示す部分ブロック図である。
【図１１】一実施例に係る移動局装置の動作を示す説明図である。
【図１２】一実施例に係る移動局装置の動作を示す説明図である。
【図１３】一実施例に係る基地局装置を示す部分ブロック図である。
【図１４】一実施例に係る無線通信システムの動作を示すフロー図である。
【符号の説明】
【０１０７】
１００  移動局装置
１０２  復調部
１０４  チャネル推定部
１０６  SIR測定部
１０８  制御信号生成部
１１０  判断部
２００（２００１、２００２、２００３）  基地局装置
２０２  復調部
２０４  復号部
２０６  判断部
２０８  リファレンスシグナル生成部
２１０  マッピング部
３００（３００１、３００２）  MME(Mobility  Management  Entity)／S-GW(Serving-Gateway)
【図１】
2009302686.tif 000003
【図３】
2009302686.tif 000004
【図５】
2009302686.tif 000005
【図６】
2009302686.tif 000006
【図７】
2009302686.tif 000007
【図８】
2009302686.tif 000008
【図９】
2009302686.tif 000009
【図１０】
2009302686.tif 000010
【図１１】
2009302686.tif 000011
【図１２】
2009302686.tif 000012
【図１３】
2009302686.tif 000013
【図１４】
2009302686.tif 000014
【図２】
2009302686.tif 000015
【図４】
2009302686.tif 000016